【手続補正書】
【提出日】平成16年9月17日(2004.9.17)
【手続補正１】
【補正対象書類名】特許請求の範囲
【補正対象項目名】請求項１
【補正方法】変更
【補正の内容】
【請求項１】
オンライン決済取引を処理するためのコンピュータ・データ処理方法であって、
ネットワークに接続するという決済カード・カード保有者からの要求を受信するステップであって、前記要求はカード保有者パスワードを含む、前記受信するステップと、
前記カード保有者要求を認証し、かつ前記ネットワークへの前記カード保有者によるアクセスを用意し、前記カード保有者に関連づけられた決済要求を受信するステップであって、前記決済要求は商売人コード識別子及び取引価格を含む商売情報を確認する、前記受信するステップと、
カード保有者詳細データベースから前記カード保有者の決済カード詳細を検索するステップと、
前記取引を承認するために前記決済カード詳細のための決済承認要求を承認ホストに提出するステップであって、前記承認要求は前記商売人コード及び取引価格を含む、前記提出するステップと、
承認の受信に応答して、前記承認の確認を前記商売人に送るステップと
を含む、前記コンピュータ・データ処理方法。
【手続補正２】
【補正対象書類名】特許請求の範囲
【補正対象項目名】請求項６
【補正方法】変更
【補正の内容】
【請求項６】
オンライン決済取引を処理するためのコンピュータ・データ処理方法であって、
ネットワークに接続するというカード保有者からの要求を受信するステップであって、前記要求はカード保有者パスワードを含む、前記受信するステップと、
前記カード保有者要求を認証し、かつ前記ネットワークへの前記カード保有者によるアクセスを用意し、商売人と前記カード保有者との間の取引に関連付けられた第１の取引要求を受信するステップと、
データベースから前記カード保有者の決済カード詳細を検索するステップと、
前記取引を承認するために前記決済カード詳細のための決済承認要求を承認ホストに提出するステップであって、前記承認要求はシステム商売人コード及び取引価格を含む、前記提出するステップと、
承認の受信に応答して、取引要求を前記商売人に送るステップであって、前記要求は、カード保有者決済カードコードを含む、前記送るステップと
を含む、前記コンピュータ・データ処理方法。
【手続補正３】
【補正対象書類名】特許請求の範囲
【補正対象項目名】請求項１１
【補正方法】変更
【補正の内容】
【請求項１１】
オンライン決済取引を処理するためのシステムであって、前記システムはインターネットへの接続及びさらにローカル・ネットワークを介してのカード保有者の端末への接続を有し、
前記システムは、
ネットワークに接続するためのカード保有者からの要求を受信する受信手段であって、前記要求はカード保有者パスワードを含む、前記受信手段と、
前記カード保有者要求を認証しかつ前記ネットワークへの前記カード保有者によるアクセスを用意する認証手段と、
商売人と前記カード保有者との間の取引に関連付けられた第１の取引要求を受信する受信手段と、
データベースから前記カード保有者のための決済カード詳細を検索する検索手段と、
前記取引を承認するために前記決済カード詳細のための決済承認要求を承認ホストに提出する承認手段であって、前記承認要求は前記システム商売人コード及び取引価格を含む、前記承認手段と、
前記承認ホストからの承認の受信に応答し、取引要求を前記商売人に送る取引手段であって、前記要求はマスター・カード保有者口座コードを含む、前記取引手段と
を含む、前記オンライン決済取引を処理するためのシステム。
【手続補正４】
【補正対象書類名】特許請求の範囲
【補正対象項目名】請求項１５
【補正方法】変更
【補正の内容】
【請求項１５】
商売人に提供された前記カード保有者情報が前記データベース内に格納されたカード保有者情報に一致することを保証するために検証を行う検証手段を更に含む、請求項１１〜１４のいずれか一項に記載のシステム。
【手続補正５】
【補正対象書類名】特許請求の範囲
【補正対象項目名】請求項１６
【補正方法】変更
【補正の内容】
【請求項１６】
商売人とカード保有者との間でオンライン決済取引を処理するための決済処理システムであって、
決済取引要求を受信する手段であって、前記決済要求は商売人コード識別子及び取引価格を含む商売人情報を確認する、前記受信する手段と、
カード保有者を前記受信された決済要求に関連付ける関連付け手段と、
カード保有者カード詳細のデータベースから前記カード保有者のための決済カード詳細を検索する手段と、
前記取引を承認するために前記検索された決済カード詳細のための決済承認要求を承認ホストに提出する承認手段であって、前記決済承認要求は前記検索された決済カード詳細、前記決済要求の前記商売人コード及び前記決済要求の取引価格を含む、前記承認手段と、
提出された決済承認要求に応答して、受信された承認の確認を送る確認手段と
を含む、前記システム。
【手続補正６】
【補正対象書類名】特許請求の範囲
【補正対象項目名】請求項２０
【補正方法】変更
【補正の内容】
【請求項２０】
商売人に提供された前記カード保有者情報が前記データベース内に格納されたカード保有者情報に一致することを保証するために検証を行う検証手段を更に含む、請求項１６〜１９のいずれか一項に記載のシステム。
【手続補正７】
【補正対象書類名】特許請求の範囲
【補正対象項目名】請求項２１
【補正方法】変更
【補正の内容】
【請求項２１】
商売人とカード保有者との間でオンライン決済取引を処理するための決済処理システムであって、
決済取引要求を受信する手段であって、前記決済要求は商売人コード識別子及び取引価格を含む商売人情報を確認する、前記受信する手段と、
カード保有者を前記受信された決済要求に関連付ける関連付け手段と、
カード保有者カード詳細のデータベースから前記カード保有者のための決済カード詳細を検索する手段と、
前記取引を承認するために前記検索された決済カード詳細のための決済承認要求を承認ホストに提出する承認手段であって、前記決済承認要求は前記検索された決済カード詳細、システム商売人コード及び前記決済要求の前記取引価格を含む、前記承認手段と、
承認の受信に応答し且つ取引要求を前記商売人に送る応答手段であって、前記要求は、システム・カード保有者口座コードを含む、前記応答手段と
を含む、前記システム。
【手続補正８】
【補正対象書類名】特許請求の範囲
【補正対象項目名】請求項２５
【補正方法】変更
【補正の内容】
【請求項２５】
商売人に提供された前記カード保有者情報が前記データベース内に格納されたカード保有者情報に一致することを保証するために検証を行う検証手段を更に含む、請求項２１〜２４のいずれか一項に記載のシステム。
【手続補正９】
【補正対象書類名】明細書
【補正対象項目名】００１５
【補正方法】変更
【補正の内容】
【００１５】
第１の実施態様では、コンピュータ・データ処理方法はオンライン決済取引を処理するために提供され、該方法は、
ネットワークに接続するというカード保有者からの要求を受信するステップであって、前記要求はカード保有者パスワードを含む、前記受信するステップと、
前記カード保有者要求を認証し（authenticating）、かつ前記ネットワークへの前記カード保有者によるアクセスを用意し、前記カード保有者に関連づけられた決済要求を受信するステップであって、前記決済要求は商売人コード識別子及び取引価格を含む商売情報を確認する、前記受信するステップと、
カード保有者詳細データベースから前記カード保有者の決済カード詳細を検索するステップと、
前記取引を承認する（authorising）ために前記決済カード詳細のための決済承認要求
を承認ホストに提出するステップであって、前記承認要求は前記商売人コード及び取引価格を含む、前記提出するステップと、
承認の受信に応答して、前記承認の確認を前記商売人に送るステップと
を含む。
【手続補正１０】
【補正対象書類名】明細書
【補正対象項目名】００１７
【補正方法】変更
【補正の内容】
【００１７】
第２の実施態様では、オンライン決済取引を処理するためのコンピュータ・データ処理方法が提供され、該方法は、
ネットワークに接続するというカード保有者からの要求を受信するステップであって、前記要求はカード保有者パスワードを含む、前記受信するステップと、
前記カード保有者要求を認証し、かつ前記ネットワークへの前記カード保有者によるアクセスを用意し、商売人と前記カード保有者との間の取引に関連付けられた第１の取引要求を受信するステップと、
データベースから前記カード保有者の決済カード詳細を検索するステップと、
前記取引を承認するために前記決済カード詳細のための決済承認要求を承認ホストに提出するステップであって、前記承認要求はシステム商売人コード及び取引価格を含む、前記提出するステップと、
承認の受信に応答して、取引要求を前記商売人に送るステップであって、前記要求は、カード保有者決済カードコードを含む、前記送るステップと
を含む。
【手続補正１１】
【補正対象書類名】明細書
【補正対象項目名】００１９
【補正方法】変更
【補正の内容】
【００１９】
第３の実施態様では、オンライン決済取引を処理するためのシステムが提供され、該システムは、インターネットへの接続及びさらにローカル・ネットワークを介してカード保有者の端末への接続を有し、
前記システムは、
ネットワークに接続するためのカード保有者からの要求を受信する受信手段であって、前記要求はカード保有者パスワードを含む、前記受信手段と、
前記カード保有者要求を認証しかつ前記ネットワークへの前記カード保有者によるアクセスを用意する認証手段と、
商売人と前記カード保有者との間の取引に関連付けられた第１の取引要求を受信する受信手段と、
データベースから前記カード保有者のための決済カード詳細を検索する検索手段と、
前記取引を承認するために前記決済カード詳細のための決済承認要求を承認ホストに提出する承認手段であって、前記承認要求は前記システム商売人コード及び取引価格を含む、前記承認手段と、
前記承認ホストからの承認の受信に応答し、取引要求を前記商売人に送る取引手段であって、前記要求はマスター・カード保有者口座コードを含む、前記取引手段と
を含む。
【手続補正１２】
【補正対象書類名】明細書
【補正対象項目名】００２１
【補正方法】変更
【補正の内容】
【００２１】
任意的に、該システムは、商売人に提供された前記カード保有者情報が前記データベース内に格納されたカード保有者情報に一致することを保証するために検証を行う検証手段を含んでもよい。
【手続補正１３】
【補正対象書類名】明細書
【補正対象項目名】００２２
【補正方法】変更
【補正の内容】
【００２２】
第４の実施態様では、商売人とカード保有者との間でオンライン決済取引を処理するための決済処理システムが提供され、
該システムは、
決済取引要求を受信する手段であって、前記決済要求は商売人コード識別子及び取引価格を含む商売人情報を確認する、前記受信する手段と、
カード保有者を前記受信された決済要求に関連付ける関連付け手段と、
カード保有者カード詳細のデータベースから前記カード保有者のための決済カード詳細を検索する手段と、
前記取引を承認するために前記検索された決済カード詳細のための決済承認要求を承認ホストに提出する承認手段であって、前記決済承認要求は前記検索された決済カード詳細、前記決済要求の前記商売人コード及び前記決済要求の取引価格を含む、前記承認手段と、
提出された決済承認要求に応答して、受信された承認の確認を送る確認手段と
を含む。
【手続補正１４】
【補正対象書類名】明細書
【補正対象項目名】００２４
【補正方法】変更
【補正の内容】
【００２４】
任意的に、該システムは、商売人に提供された前記カード保有者情報が前記データベース内に格納されたカード保有者情報に一致することを保証するために検証を行う検証手段を含んでもよい。
【手続補正１５】
【補正対象書類名】明細書
【補正対象項目名】００２５
【補正方法】変更
【補正の内容】
【００２５】
第５の実施態様では、商売人とカード保有者との間でオンライン決済取引を処理するための決済処理システムが提供され、
該システムは、
決済取引要求を受信する手段であって、前記決済要求は商売人コード識別子及び取引価格を含む商売人情報を確認する、前記受信する手段と、
カード保有者を前記受信された決済要求に関連付ける関連付け手段と、
カード保有者カード詳細のデータベースから前記カード保有者のための決済カード詳細を検索する手段と、
前記取引を承認するために前記検索された決済カード詳細のための決済承認要求を承認ホストに提出する承認手段であって、前記決済承認要求は前記検索された決済カード詳細、システム商売人コード及び前記決済要求の前記取引価格を含む、前記承認手段と、
承認の受信に応答し且つ取引要求を前記商売人に送る応答手段であって、前記要求は、システム・カード保有者口座コードを含む、前記応答手段と
を含む。
【手続補正１６】
【補正対象書類名】明細書
【補正対象項目名】００２７
【補正方法】変更
【補正の内容】
【００２７】
任意的に、該システムは、商売人に提供された前記カード保有者情報が前記データベース内に格納されたカード保有者情報に一致することを保証するために検証を行う検証手段を含む。